(57)【要約】【課題】丈夫な電気掃除機の延長管およびそれを備えた電気掃除機を提供することを目的とする。【解決手段】ドライカーボン製の細長いパイプ本体と、前記パイプ本体の少なくとも一端に設けられた接続管部とを備え、  前記接続管部は、前記パイプ本体の前記一端に挿入される筒状の挿入部および前記パイプ本体の外部に突出して掃除機本体側または吸込具側と接続される筒状の接続部を有する本体部と、前記本体部に固定具にて取り付けられる湾曲板状の押え部材とを備え、  前記押え部材は、前記パイプ本体の前記一端の外面に当接可能な凹曲面部を有し、前記パイプ本体の前記一端を、前記一端に挿入された前記接続管部の前記挿入部の外面と前記押え部材の前記凹曲面部とで挟み込み、かつ、この挟み込み状態を前記固定具にて維持するように構成したことを特徴とする電気掃除機の延長管。【選択図】図３
2020156843.tif 000002
【特許請求の範囲】
【請求項１】
ドライカーボン製の細長いパイプ本体と、前記パイプ本体の少なくとも一端に設けられた接続管部とを備え、
前記接続管部は、前記パイプ本体の前記一端に挿入される筒状の挿入部および前記パイプ本体の外部に突出して掃除機本体側または吸込具側と接続される筒状の接続部を有する本体部と、前記本体部に固定具にて取り付けられる湾曲板状の押え部材とを備え、
前記押え部材は、前記パイプ本体の前記一端の外面に当接可能な凹曲面部を有し、
前記パイプ本体の前記一端を、前記一端に挿入された前記接続管部の前記挿入部の外面と前記押え部材の前記凹曲面部とで挟み込み、かつ、この挟み込み状態を前記固定具にて維持するように構成したことを特徴とする電気掃除機の延長管。
【請求項２】
前記接続部が、前記挿入部に連設されている請求項１に記載の延長管。
【請求項３】
前記パイプ本体は、前記接続管部を位置決めする切欠き部を前記一端の開口端縁に有し、
前記接続管部は、前記挿入部が前記パイプ本体の前記一端に挿入された状態において前記切欠き部と係合する位置決め凸部を前記挿入部の外面に有すると共に、前記固定具としてのネジを螺着させるボス部を前記位置決め凸部上に有している請求項１または２に記載の延長管。
【請求項４】
前記押え部材は、前記ボス部を挿通させる取付け孔を有し、
前記本体部は、前記取り付け孔に前記ボス部を挿通した前記押え部材の前記ボス部を軸とする回動を規制する回動規制リブを、前記挿入部と前記接続部との境界に有する請求項３に記載の延長管。
【請求項５】
前記パイプ本体の外面の長手方向に沿って設けられるカバー部材と、前記パイプ本体と前記カバー部材との間に設けられた導電線とをさらに備え、
前記カバー部材の前記一端側の端部が前記固定具にて前記押え部材へ押し付けられるように構成された請求項１〜４のいずれか１つに記載の延長管。
【請求項６】
前記導電線は、前記一端側および前記一端側とは反対の他端側にそれぞれ端子部を有し、
前記押え部材は、前記導電線の前記一端側の前記端子部を位置決めする位置決めリブを外面に有する請求項５に記載の延長管。
【請求項７】
前記接続管部が、前記パイプ本体の長手方向の前記一端および前記一端とは反対側の他端の両方に設けられている請求項１〜６のいずれか１つに記載の延長管。
【請求項８】
請求項１〜７のいずれか１つに記載の延長管と、前記延長管の前記一端と着脱可能に接続される掃除機本体と、前記延長管の前記一端とは反対側の他端と着脱可能に接続される吸込具とを備えた電気掃除機。
【発明の詳細な説明】
【技術分野】
【０００１】
本発明は、電気掃除機の延長管およびそれを備えた電気掃除機に関する。
【背景技術】
【０００２】
従来の電気掃除機の延長管として、特許文献１には、ドライカーボンで構成されたパイプ本体と、パイプ本体の長手方向の両端にそれぞれ設けられた第１および第２接続管部と、パイプ本体内に設けられた導電ユニットとを備え、軽量化および高強度化が図られた延長管が公知である。
【０００３】
この延長管において、第１接続管部は、パイプ本体の一端に挿入される円筒形の挿入部と、挿入部からパイプ本体の一端側の外部へ突出する円筒形の露出部とを有する本体部と、本体部にネジにて取り付けられる第１カバー部材とを備える。
また、第２接続管部は、パイプ本体の他端に挿入される円筒形の挿入部および挿入部からパイプ本体の他端側の外部へ突出する円筒形の露出部を有する本体部と、本体部にネジにて取り付けられる第２カバー部材とを備える。
【０００４】
第１接続管部において、露出部は、挿入部に連設されて導電ユニットの一端側のピン形受電端子を保持する端子保持部と、端子保持部に連設された接続部とを有し、端子保持部に第１カバー部材がピン形受電端子の保持部分を覆うように取り付けられる。
第２接続管部において、露出部は、挿入部に連設された接続部と、接続部の外面に設けられて導電ユニットの他端のクリップ形給電端子を保持する端子保持部とを有し、端子保持部に第２カバー部材がクリップ形給電端子を覆うように取り付けられる。
【０００５】
また、この延長管において、パイプ本体の両端と第１および第２接続管部とは、第１および第２接続管部の各挿入部がパイプ本体に挿入され、かつ、各挿入部とパイプ本体との間が接着剤によって接着されることにより連結されている。
【先行技術文献】
【特許文献】
【０００６】
【特許文献１】国際公開ＷＯ２０１８／０８７９３６Ａ１号公報
【発明の概要】
【発明が解決しようとする課題】
【０００７】
前記従来の延長管において、パイプ本体と第１および第２接続管部の各挿入部とは接着剤にて接着されて連結されているが、パイプ本体と第１および第２接続管部とが互いに離れる引っ張り方向の力に対して引張強度がより高められることが望ましい。
【０００８】
本発明は、このような事情に鑑みなされた電気掃除機の延長管およびそれを備えた電気掃除機を提供することを目的とする。
【課題を解決するための手段】
【０００９】
本発明によれば、ドライカーボン製の細長いパイプ本体と、前記パイプ本体の少なくとも一端に設けられた接続管部とを備え、
前記接続管部は、前記パイプ本体の前記一端に挿入される筒状の挿入部および前記パイプ本体の外部に突出して掃除機本体側または吸込具側と接続される筒状の接続部を有する本体部と、前記本体部に固定具にて取り付けられる湾曲板状の押え部材とを備え、
前記押え部材は、前記パイプ本体の前記一端の外面に当接可能な凹曲面部を有し、
前記パイプ本体の前記一端を、前記一端に挿入された前記接続管部の前記挿入部の外面と前記押え部材の前記凹曲面部とで挟み込み、かつ、この挟み込み状態を前記固定具にて維持するように構成した電気掃除機の延長管が提供される。
【発明の効果】
【００１０】
本発明によれば、パイプ本体の一端と接続管部の挿入部とを接着剤にて接着した場合、この接着剤による接着強度に加えて、パイプ本体の一端を接続管部の挿入部と押え部材とで挟み込んで保持することができるため、パイプ本体と接続管部とが互いに離れる引っ張り方向の力に対して引張強度をより高めることができる。
【図面の簡単な説明】
【００１１】
【図１】本発明の第１実施形態の電気掃除機を示す斜め後方から視た斜視図である。
【図２】第１実施形態の電気掃除機における延長管を示す斜視図である。
【図３】図２の延長管の分解図である。
【図４】第１実施形態の延長管のパイプ本体を軸心直交方向に切断した横断面図である。
【図５】第１実施形態の延長管のパイプ本体の積層構造を説明する図である。
【図６】第１実施形態の延長管における第１接続管部の本体部を示す斜視図である。
【図７】第１実施形態の延長管における第１接続管部の押え部材の外側から視た斜視図である。
【図８】図７の押え部材の内側から視た斜視図である。
【図９】第１実施形態の延長管の第１接続管側の縦断面図である。
【図１０】第１実施形態の延長管の第１接続管側の横断面図である。
【図１１】第１実施形態の延長管の第２接続管側の縦断面図である。
【図１２】（Ａ）〜（Ｄ）は第１実施形態の延長管の第１接続管側の組み立て工程を説明する図である。
【発明を実施するための形態】
【００１２】
（第１実施形態）
図１は本発明の第１実施形態の電気掃除機を示す斜め後方から視た斜視図である。なお、図１において電気掃除機の前後左右上下の方向を矢印にて示し、図２と図３において延長管の前後左右上下の方向を矢印にて示している。
この電気掃除機１は、図１に示すように、掃除機本体１０と、吸込口体１００と、掃除機本体１０と吸込口体１００とを接続する延長管３０とを備える。
【００１３】
＜掃除機本体について＞
図１に示すように、掃除機本体１０は、電動送風機（不図示）を内蔵する駆動装置１１と、駆動装置１１に着脱可能に装着されるサイクロン方式の集塵装置１２と、駆動装置１１に着脱可能に装着されるバッテリ１３とを備える。
駆動装置１１は、前部に設けられた筒形の吸引管部１１ａと、吸引管部１１ａの後方に連設された操作スイッチ（不図示）を有するハンドル１１ｂと、ハンドル１１ｂの上端と下端とに連結された電動送風機収容部１１ｃと、電動送風機収容部１１ｃの下部に設けられたバッテリ装着部１１ｄと、回路基板（不図示）とを有する。
なお、バッテリ１３、電動送風機、操作スイッチおよび後述の一対のクリップ形給電端子（不図示）は、リード線を介して回路基板に電気的に接続されている。
【００１４】
吸引管部１１ａの下部には集塵装置１２を着脱可能に装着する集塵装置装着部１１ｅが設けられると共に、吸引管部１１ａの先端側にはロック解除ボタン１１ｆを有する第１ロック機構部が設けられている。
また、吸引管部１１ａの先端面には、延長管３０の後述する一対のピン形受電端子８２（図３参照）を挿入させる一対の挿入孔が設けられると共に、一対の挿入孔内には一対のピン形受電端子８２と電気的に接続するクリップ形給電端子（不図示）が設けられている。
なお、集塵装置装着部１１ｅの電動送風機収容部１１ｃ側には、集塵装置１２の後述の第２係止爪（不図示）と係脱可能に係合する係合凹部（不図示）が設けられている。
【００１５】
第１ロック機構部は、吸引管部１１ａに挿入された延長管３０の後述の第１接続管部５０の係止凹部５１ｂａ（図２参照）と係脱可能に係止する第１係止爪（不図示）と、第１係止爪と連設された前記ロック解除ボタン１１ｆと、第１係止爪を係止凹部５１ｂａに係止させる方向に付勢する付勢部材（不図示）とを有し、ロック解除ボタン１１ｆを押すことにより係止凹部５１ｂａから第１係止爪を離脱させるようになっている。
【００１６】
集塵装置１２は、集塵容器１２ａと、集塵容器１２ｂの開口部に着脱可能に取り付けられるフィルター部１２ｂと、フィルター部１２ｂの外面に設けられたロック解除レバー１２ｃを有する第２ロック機構部とを有する。
フィルター部１２ｂは、メッシュ部材を有する内筒部（不図示）と、内筒部と連結されたフィルター本体（不図示）とを有する。
【００１７】
第２ロック機構部は、前記ロック解除レバー１２ｃと連設された第２係止爪（不図示）と、駆動装置１１の集塵装置装着部１１ｅに集塵装置１２が装着された状態において第２係止爪を前記係合凹部に係合させる方向に付勢する付勢部材（不図示）とを有し、ロック解除レバー１２ｃをスライドさせることにより係合凹部から第２係止爪を離脱させるようになっている。
【００１８】
＜吸込口体について＞
図１に示すように、吸込口体１００は、床面上を前後方向に走行する吸込口本体１０１と、吸込口本体１０１に連通連結された関節部１０２と、関節部に１０２に連通連結された接続管部１０３とを有する。
【００１９】
吸込口本体１０１は、底部に設けられた吸込口１０１ａと、吸込口１０１ａ近傍に回転可能に設けられた回転ブラシ１０１ｂと、回転ブラシ１０１ｂを回転させる駆動モータ（不図示）と、モータ駆動回路（不図示）とを有する。なお、駆動モータおよび後述の一対のピン形受電端子は、リード線を介してモータ駆動回路と電気的に接続している。
関節部１０２は、前後方向の第１軸心を中心に回動可能に吸込口本体１０１に連結されると共に、吸込口１０１ａと連通している。
【００２０】
接続管部１０３は、第１軸心と直交する方向の第２軸心を中心に揺動可能に関節部１０２に連結された基端１０３ａを有すると共に、延長管３０と着脱可能に接続する先端１０３ｂを有する。
また、先端１０３ｂの外面には、延長管３０の後述するロック機構部９０の係止爪９１ｃ（図３、図１１参照）と係脱可能に係止する係止凹部（不図示）が設けられている。
また、先端１０３ｂにおける延長管３０の後述する第２接続管部６０の端面に突き当たる段部には、第２接続管部６０に設けられた一対のクリップ形給電端子８３（図３、図１１参照）と電気的に接続する前記一対のピン形受電端子（不図示）が設けられている。
【００２１】
＜延長管について＞
図２は第１実施形態の電気掃除機における延長管を示す斜視図であり、図３は図２の延長管の分解図である。
延長管３０は、パイプ本体４０と、パイプ本体４０の長手方向の一端４０ａ（後方端）に設けられた第１接続管部５０およびパイプ本体４０の長手方向の他端４０ｂ(前方端)に設けられた第２接続管部６０と、パイプ本体４０の外面の長手方向に沿って設けられるカバー部材７０と、パイプ本体４０とカバー部材７０との間に設けられた一対の導電線８０と、パイプ本体４０の長手方向に沿って設けられるロック機構部９０とを備える。
なお、以下の説明において、延長管３０の長手方向の一端側（後方側）は掃除機本体１０と接続される側（気流方向の下流側）であり、他端側（前端側）は吸込口体１００と接続される側（気流方向の上流側）である。
【００２２】
［パイプ本体］
図４は第１実施形態の延長管のパイプ本体を軸心直交方向に切断した横断面図であり、図５は第１実施形態の延長管のパイプ本体の積層構造を説明する図である。
図４と図５に示すように、パイプ本体４０は、筒形炭素繊維層４１が複数積層してなるドライカーボンで構成されている。第１実施形態の場合、複数積層した筒形炭素繊維層４１は、第１筒形炭素繊維層４１ａ、第２筒形炭素繊維層４１ｂおよび第３筒形炭素繊維層４１ｃが内側からこの順に積層されてなる。なお、第３筒形炭素繊維層４１ｃの外周面には最外層として樹脂コーティング層４２が積層されている。そして、ドライカーボンとして加工する。ドライカーボンは、内部を高圧力にすることが可能な耐圧性の装置を用いて、加圧可能な窯で成型するものである。
【００２３】
図５に示すように、第１筒形炭素繊維層４１ａは、管長手方向と平行に延びる複数の炭素繊維を有する１方向炭素繊維シートからなる。
第２筒形炭素繊維層４１ｂおよび第３筒形炭素繊維層４１ｃは、複数の炭素繊維の経糸および緯糸を有する２方向炭素繊維シートからなる。
１方向炭素繊維シートおよび２方向炭素繊維シートとしては、炭素繊維間に予め樹脂（例えば、エポキシ樹脂）が含浸された市販のプリプレグシートを用いることができる。なお、複数の炭素繊維は、経糸および緯糸以外に、斜め方向のようにクロスした糸状で構成することができる。また、クロスしたものや経糸および緯糸などの組合せを自由に組み替えてもよい。
【００２４】
パイプ本体４０は、市販のプリプレグシートを用いて第１〜第３筒形炭素繊維層４１ａ、４１ｂ、４１ｃを１層ずつ型を用いた公知の方法によって成形し積層することによって製造することができる。例えば、金属棒のような軸棒に巻き付けていく方法がある。
また、形成後のパイプ本体４０の両端部の各開口端縁の対向位置には、第１および第２接続管部５０、６０との連結位置を位置決めするための切欠き部４３、４４が切削によって形成されている。なお、本実施形態の場合、パイプ本体４０の第１接続管部５０と連結される一端４０ａ側の切欠き部４３は、第２接続管部６０と連結される他端４０ｂ側の切欠き部４４よりも大きく形成されている。
【００２５】
パイプ本体４０において、第１筒形炭素繊維層４１ａの厚みＴ１は約０．１ｍｍであり、第２および第３筒形炭素繊維層４１ｂ、４１ｃの厚みＴ２、Ｔ３はそれぞれ約０．２ｍｍであり、樹脂コーティング層４２の厚みＴ４は約０．１ｍｍであり、全体的な厚みＴ５は約０．６ｍｍである。なお、第１〜第３筒形炭素繊維層４１ａ、４１ｂ、４１ｃの厚みは、それらの形成時に用いた１方向および２方向炭素繊維シートの厚みに由来する。なお、それぞれの厚み（Ｔ１、Ｔ２、Ｔ３、Ｔ４）は上記に限定されるものではない。
【００２６】
また、各筒形炭素繊維層４１は、管の周方向側に配置されて長手方向に延びる両端部を有すると共に、この両端部の端面同士が当接した端面当接部４１ｘを有する。なお、端面当接部４１ｘは、各筒形炭素繊維層４１の形成時に用いた１方向および２方向炭素繊維シートの両端部の端面同士が融着した部分である。
パイプ本体４０において、一の筒形炭素繊維層４１の端面当接部４１ｘと隣接する他の筒形炭素繊維層４１の端面当接部４１ｘとは相互に重ならない位置に配置されている。第１実施形態の場合、各端面当接部４１ｘは中心角度１２０°ずれた位置に配置されている。このように各端面当接部４１ｘの位置を周方向に均等にずらすことにより、パイプ本体４０に剛性の強弱部分を作らず均一化することができる。
【００２７】
各筒形炭素繊維層４１はそれぞれ端面当接部４１ｘを有するため、各筒形炭素繊維層４１は段差のない均一な厚みの層となって形成されている。つまり、パイプ本体の製造時に金属棒に炭素繊維シートを単に３重巻きした場合では、１重巻きの終端部と２重巻きの始端部の間および２重巻きの終端部と３重巻きの始端部の間に段差が生じるが、第１実施形態のパイプ本体４０では第１〜第３筒形炭素繊維層４１ａ、４１ｂ、４１ｃの３層が独立した層であるため、このような段差が生じない。そのため、パイプ本体４０は均一な厚みで形成され、全体的に均一な剛性を有するものとなる。
【００２８】
［第１接続管部］
図６は第１実施形態の延長管における第１接続管部の本体部を示す斜視図であり、図７は第１実施形態の延長管における第１接続管部の押え部材の外側（外面側）から視た斜視図であり、図８は図７の押え部材の内側（内面側）から視た斜視図である。また、図９は第１実施形態の延長管の第１接続管側の縦断面図であり、図１０は第１実施形態の延長管の第１接続管側の横断面図である。
図３、図６〜図１０に示すように、第１接続管部５０は、本体部５１と、押え部材５２と、押え部材５２を本体部５１に取り付ける固定具としてのネジ５３とを備える。
【００２９】
《本体部》
図３、図６、図９および図１０に示すように、本体部５１は、パイプ本体４０の一端４０ａに挿入される筒形の挿入部５１ａと、挿入部５１ａに連設されパイプ本体４０の外部に突出して掃除機本体１０と接続される筒形の接続部５１ｂと、挿入部５１ａと接続部５１ｂとの境界の外面に設けられた鍔部５１ｃおよび回動規制リブ５１ｄとを有する。
【００３０】
また、本体部５１は、挿入部５１ａがパイプ本体４０の一端４０ａに挿入された状態において切欠き部４３と係合する位置決め凸部５１ｅを挿入部５１ａの外面５１ａａに有すると共に、ネジ５３を螺着させる円筒形のボス部５１ｆを位置決め凸部５１ｅ上に有している。なお、ボス部５１ｆは、位置決め凸部５１ｅから本体部５１の径方向外方へ向かって突出している。
位置決め凸部５１ｅは、回動規制リブ５１ｄから挿入部５１ａの外面５１ａａの長手方向に延びており、挿入部５１ａの外面５１ａａからの高さＨはパイプ本体４０の厚みＴ５（図４参照）よりも僅かに高く設定されている。なお、本実施形態の場合、挿入部５１ａの外面５１ａａにＵ字形リブを形成することによって位置決め凸部５１ｅを構成し、そのＵ字形リブの内側スペースを含む位置決め凸部５１ｅ上にボス部５１ｆを形成している。
【００３１】
挿入部５１ａに連設された接続部５１ｂは、その全体が掃除機本体１０の吸引管部１１ａ内（図１参照）に挿入される部分である。すなわち、挿入部５１ａと接続部５１ｂとの間には、従来の延長管（特許文献１参照）における第１接続管部の端子保持部が存在しない。そのため、本実施形態の第１接続管部５０の本体部５１の全長は短縮化されており、その分重量も軽量化されている。
【００３２】
また、接続部５１ｂの外面には、掃除機本体１０の吸引管部１１ａ内に設けられた前記第１ロック機構部の係止爪と係脱可能に係止する前記係止凹部５１ｂａと、掃除機本体１０の吸引管部１１ａ内に設けられた管長手方向に延びる一対の溝部（不図示）にスライド可能に係合する一対のガイド突条部５１ｂｂとが設けられている。なお、本実施形態の場合、係止凹部５１ｂａは接続部５１ｂの外面における開口端部の近傍であってボス部５１ｆと周方向の同じ位置（対応位置）に配置されており、一対のガイド突条部５１ｂｂは接続部５１ｂの外面における回動規制リブ５１ｄの近傍であってボス部５１ｆに対して周方向の両側位置に配置されている。
【００３３】
鍔部５１ｃに連設された回動規制リブ５１ｄは、ボス部５１ｆに取り付けた後述の押え部材５２のボス部５１ｆを軸とする回動を規制するリブである。
回動規制リブ５１ｄは、鍔部５１ｃの厚みよりも薄く形成されており、鍔部５１ｃに隣接する一対の平坦部５１ｄａと、一対の平坦部５１ｄａの間の弧状部５１ｄｂとを有する。
【００３４】
《押え部材》
図７と図８と図１０に示すように、押え部材５２は、本体部５１に押え部材５２が取り付けられた状態において、パイプ本体４０の外面に沿う湾曲した部材であり、パイプ本体４０の外面と接触可能な一対の凹曲面部５２ａを内面（図８参照）側に有すると共に、一対の導電線８０の各一端に設けられた後述のピン形受電端子８２を位置決めする位置決めリブ５２ｂを外面（図７参照）側に有している。
位置決めリブ５２ｂは、一対のピン形受電端子８２を嵌め込んで位置決めする一対の位置決め凹部５２ｂａを有する。
【００３５】
押え部材５２は、本体部５１に押え部材５２が取り付けられた状態において、ボス部５１ｆを挿通させる取付け孔５２ｃを一対の凹曲面部５２ａの間に有し、第１接続管部５０の本体部５１の回動規制リブ５１ｄと係合する係合溝５２ｄを一対の凹曲面部５２ａに隣接して有している。
また、一対の凹曲面部５２ａの間の取付け孔５２ｃが設けられる部分は、係合溝５２ｄと概ね同じ深さで窪んでおり、この窪んだスペースに本体部５１の位置決め凸部５１ｅの内側スペース内に嵌り込む一対のリブ５２ｆが設けられている。
【００３６】
また、押え部材５２は、本体部５１に押え部材５２が取り付けられた状態において、カバー部材７０の後述の第２部材７２にてパイプ本体４０側へ押圧される一対の凸曲面部５２ｅを外面に有している。なお、各凸曲面部５２ｅと各凹曲面部５２ａとは互いに対応する位置に配置されている。
押え部材５２の外面において、一対の凸曲面部５２ｅの周囲にはリブが設けられており、各凸曲面部５２ｅは周囲をリブで囲まれた凹部の底面となっている。これらの凹部の底面は、取付け孔５２ｃから周方向に離れた箇所が深くなっており、凹部の深くなった箇所に隣接する一対のリブ５２ｅａ（図１０参照）によって、カバー部材７０の後述の第２部材７２の一対の押圧リブ７２ｄ（図１０参照）を位置決めするようにしている。なお、これについて詳しくは後述する。
【００３７】
［第２接続管部］
図１１は第１実施形態の延長管の第２接続管側の縦断面図である。
図３と図１１に示すように、第２接続管部６０は、本体部６１と、カバー部６２と、カバー部６２を本体部６１に取り付ける固定具としてのネジ６３とを備える。
【００３８】
本体部６１は、パイプ本体４０の他端に挿入される円筒形の挿入部６１ａと、挿入部６１ａからパイプ本体４０の外部へ突出する円筒形の露出部と、露出部と挿入部６１ａの境界における外面に設けられた鍔部６１ｄとを有する。
【００３９】
挿入部６１ａは、鍔部６１ｄから管長手方向に突出する位置決め凸部６１ａａを外面に有している。なお、この位置決め凸部６１ａａは、パイプ本体４０の他端４０ｂ側の切欠き部４４に嵌り込む箇所である。
【００４０】
露出部は、挿入部６１ａに連設された接続部６１ｂと、接続部６１ｂの外面に設けられて一対の導電線８０の各他端に設けられた端子保持部６１ｃとを有する。
接続部６１ｂは、端子保持部６１ｃ側の周壁に、ロック機構部９０の構成部品の１つである後述の揺動部材９１の係止爪９１ｃを挿通させる孔部６１ｂａを有している。
【００４１】
端子保持部６１ｃは、後述の一対のクリップ形給電端子８３およびロック機構部９０の後述の構成部品を保持するリブ構造部を有すると共に、ネジ６３を螺着させるボス部６１ｃａをリブ構造部内に有している。また、リブ構造の他端側の端部には、第２接続管部６０に接続された吸込口体１００の接続管部１０３の前記一対のピン形受電端子を挿入させる一対の孔部（不図示）を有している。
【００４２】
カバー部６２は、ロック機構部９０の前記揺動部材９１のロック解除ボタン９１ｂを挿通させる孔部６２ａおよびネジ６３を挿通させる孔部６２ｂを有し、ボス部６１ｃａに螺着されたネジ６３によって端子保持部６１ｃに取り付けられることによってクリップ形給電端子８３を覆うように構成されている。
【００４３】
［カバー部材］
図３と図９と図１０に示すように、カバー部材７０は、パイプ本体４０と略同じ長さを有する長細い第１部材７１と、第１部材７１の一端側に設けられる第２部材７２とを有する。
第１部材７１は、一対の導電線８０およびロック機構部９０の後述の線材９４を覆う部分であり、第１部材７１の内面側には、一対の導電線８０を第１部材７１内の両側に配置し、かつ、線材９４を一対の導電線８０の間に区画して配置できるよう、長手方向に延びる一対のリブ（不図示）が設けられている。なお、各リブは、断続的に長手方向に設けられてもよい。
【００４４】
また、第１部材７１の一端側には幅広く形成された幅広部７１ａが設けられており、この幅広部７１ａ上にロック機構部９０の後述する第２スライド部材９３のロック解除レバー９３ａがスライド可能に支持されるようになっている。なお、幅広部７１ａの一端には、第１接続管部５０のボス部５１ｆを挿通させる孔部７１ａａと、ロック機構部９０の線材９４の一端を挿通させる孔部７１ａｂとが設けられている。
【００４５】
第２部材７２は、ロック解除レバー９３ａを挿通させる孔部７２ａおよびネジ５３を挿通させる筒形孔部７２ｂを有している。筒形孔部７２ｂは、第１接続管部５０のボス部５１ｆの外径より大きい内径を有し、その内面にはボス部５１ｆの上面に当接する内鍔部７２ｂａが設けられている。
第１接続管部５０のボス部５１ｆに螺着されたネジ５３によって第２部材７２が第１接続管部５０に取り付けられることによって、パイプ本体４０の一端４０ａ側の第２スライド部材９３の一部および押え部材５２が覆われる。またこれにより、押え部材５２と第２部材７２によって一対のピン形受電端子８２の一部（長手方向の中間部付近からリード線８１との接続部に亘る部分）が挟み込まれて固定される。このとき、一対のピン形受電端子８２の中間部付近は、押え部材５２の位置決め凹部５２ｂａと第２部材７２のＵ字形切欠き部７２ｃａとによって囲むように挟み込まれている。なお、第２部材７２の一端側には、一対のピン形受電端子を挿通させる一対のＵ字形切欠き部７２ｃａを有する端部壁７２ｃが設けられている。
【００４６】
また、第２部材７２は、その内面から突出して管長手方向に延びる一対の押圧リブ７２ｄを有している。第２部材７２の一対の押圧リブ７２ｄは、第１接続管部５０のボス部５１ｆから離れた左右位置に設けられているため、一対の押圧リブ７２ｄの間のスペースに後述する一対の導電線８０およびロック機構部９０の後述の線材９４を通すことができる。
【００４７】
第１接続管部５０に第２部材７２が取り付けられることによって、一対の押圧リブ７２ｄが押え部材５２の一対の凸曲面部５２ｅに当接して押圧する。このとき、各押圧リブ７２ｄと各凸曲面部５２ｅとがなす角度が直角ではないため、各押圧リブ７２ｄの各凸曲面部５２ｅにかかる押圧力が周方向に分散しやすい。そのため、本実施形態では、押え部材５２の前記一対のリブ５２ｅａによって各押圧リブ７２ｄが位置決めされ、一対のリブ５２ｅａと各凸曲面部５２ｅとの間の隅部Ｎに各押圧リブ７２ｄの押圧力が集中してかかるようにしている。
【００４８】
これにより、押え部材５２の一対の凹曲面部５２ａがパイプ本体４０の外面４０ｃに強い力で接触することができる。またこれにより、パイプ本体４０の一端４０ａに挿入された第１接続管部５０の挿入部５１ａの外面５１ａａと押え部材５２の内面である一対の凹曲面部５２ａとでパイプ本体４０の一端４０ａを挟み込み、かつ、この挟み込み状態を固定具としてのネジ５３にて保持することができる。
【００４９】
したがって、パイプ本体４０の一端４０ａと第１接続管部５０の挿入部５１ａとを接着剤にて接着した場合、この接着剤による接着強度に加えて、パイプ本体４０の一端４０ａを第１接続管部５０の挿入部５１ａと押え部材５２とで挟み込んで保持することができるため、パイプ本体４０と第１接続管部５０とが互いに離れる引っ張り方向の外力に対して引張強度を高めることができる。
なお、それに加えて、パイプ本体４０と第１接続管部５０の挿入部５１ａとをビス止めしてさらに引張強度を高めるようにしてもよい。
【００５０】
［導電線］
一対の導電線８０は、絶縁材にて被覆されたリード線８１と、リード線８１の一端にハンダ付けされたピン形受電端子８２と、リード線８１の他端にハンダ付けされたクリップ形給電端子８３とをそれぞれ備える。なお、リード線８１とピン形受電端子８２との接合はハンダ付け以外にも、スポット溶接やカシメなどで行ってもよい。
【００５１】
［ロック機構部］
図２と図３と図９と図１１に示すように、ロック機構部９０は、第２接続管部６０の本体部６１とカバー部６２との間に配置される揺動部材９１および第１スライド部材９２と、カバー部材７０の第１部材７１の幅広部７１ａと第２部材７２との間に一部が配置される第２スライド部材９３と、第１スライド部材９２と第２スライド部材９３とを連結する線材９４と、付勢部材９５とを有する。
【００５２】
揺動部材９１は、軸部９１ａと、軸部９１ａの他端側に連設された前記ロック解除ボタン９１ｂと、軸部９１ａの一端側に連設された前記係止爪９１ｃとを有する。
揺動部材９１は、第２接続管部６０の本体部６１の端子保持部６１ｃ内に設置され、カバー部６２にて押さえられることにより、ロック解除ボタン９１ｂがカバー部６２の孔部６２ａから外部に露出すると共に、係止爪９１ｃが本体部６１の孔部６１ｂａから管内部に突出する。また、揺動部材９１は、軸部９１ａを支点としてロック解除ボタン９１ｂと係止爪９１ｃが揺動する。
【００５３】
付勢部材９５は、本体部６１の端子保持部６１ｃと揺動部材９１のロック解除ボタン９１ｂとの間に設けられており、ロック解除ボタン９１ｂを孔部６１ｂａから外部へ突出させ、かつ、係止爪９１ｃを管内部へ突出させる方向に付勢する。本実施形態では、付勢部材９５として圧縮コイルバネを用いているが、トーションバネ、板バネ等を用いてもよい。
第１スライド部材９２は、略Ｕ字形に形成されており、第２接続管部６０の本体部６１の端子保持部６１ｃ内に管長手方向にスライド可能に設けられる。なお、第１スライド部材９２の役割について詳しくは後述する。
【００５４】
第２スライド部材９３は、前記ロック解除レバー９３ａを有しており、ロック解除レバー９３ａがカバー部材７０の第２部材７２の孔部７２ａから外部へ突出する。
線材９４は、本実施形態では針金が用いられているが、可撓性のワイヤが用いられてもよい。
【００５５】
このロック機構部９０によれば、ロック解除レバー９３ａを矢印Ａ方向（図２参照）へ引いて第２スライド部材９３を一端側へ移動させることによって、線材９４を介して第１スライド部材９２が揺動部材９１に摺接しながら一端側へ移動する。このとき、第１スライド部材９２が付勢部材９５の付勢力に抗して揺動部材９１を揺動させ、それによって係止爪９１ｃが管内部から突出する方向と逆方向に移動する。
【００５６】
したがって、延長管３０から吸込口体１００を取り外す際、ユーザーは足で吸込口体１００の吸込口本体１０１を床面に押さえ付け、指でロック解除レバー９３ａを引くことにより、吸込口体１００の接続管部１０３の先端１０３ｂ（図１参照）の前記係止凹部から係止爪９１ｃが離脱し、この状態で延長管３０を引き上げることにより延長管３０を吸込口体１００の接続管部１０３から引き抜くことができる。つまり、ユーザーは腰を屈めることなく立ったままの楽な姿勢で延長管３０から吸込口体１００を取り外すことができる。なお、ロック解除ボタン９１ｂを押して延長管３０から吸込口体１００を取り外すこともできる。
【００５７】
＜延長管の第１接続管側の組み立てについて＞
図１２（Ａ）〜（Ｄ）は第１実施形態の延長管の第１接続管側の組み立て工程を説明する図である。
延長管の第１接続管部５０側の組み立てに際しては、図３と図６と図１２（Ａ）に示すように、第１接続管部５０の本体部５１の挿入部５１ａの外面５１ａａに接着剤を塗布する。
【００５８】
次に、図３と図６と図１２（Ｂ）に示すように、パイプ本体４０の一端４０ａに本体部５１の挿入部５１ａを挿入する。このとき、挿入部５１ａの位置決め凸部５１ｅをパイプ本体４０の切欠き部４３に嵌め込む。
なお、予め挿入部５１ａおよびパイプ本体４０にビス挿通用の小孔５１ａｘ、４０ｘを形成し、挿入部５１ａをパイプ本体４０に挿入した後（図１２（Ｂ）の状態）で互いに重なった各小孔５１ａｘ、４０ｘにビスを螺着させてもよい。
【００５９】
次に、図３、図６〜図８および図１２（Ｃ）に示すように、本体部５１のボス部５１ｆを押え部材５２の取付け孔５２ｃを挿通させるようにして、押え部材５２をパイプ本体４０上に設置する。このとき、押え部材５２の係合溝５２ｄを本体部５１の回動規制リブ５１ｄに嵌め込んで位置決めする。
【００６０】
次に、図３、図６〜図８および図１２（Ｄ）に示すように、カバー部材７０の第１部材７１内に一対の導電線８０およびロック機構部９０の線材９４を設置し、第１部材７１の一端側の孔部７１ａａにボス部５１ｆを挿通させると共に、一対の導電線８０の各ピン形受電端子８２を押え部材５２の一対の位置決め凹部５２ｂａに嵌め込んで位置決めする。
【００６１】
続いて、図３と図９と図１２（Ｄ）に示すように、ロック機構部９０の第２スライド部材９３を第１部材７１の幅広部７１ａ上に設置し、線材９４の一端の折れ曲がり部分を第２スライド部材９３に引っ掛ける。その後、図３と図１０に示すように、第２スライド部材９３の一部および押え部材５２をカバー部材７０の第２部材７２にて覆い、ネジ５３をボス部５１ｆに螺着することにより、押え部材５２および第２部材７２をパイプ本体４０の一端４０ａ側に固定する。
【００６２】
これにより、第２部材７２の一対の押圧リブ７２ｄが、押え部材５２の外面側の一対の凸曲面部５２ｅと一対のリブ５２ｅａとの間の各隅部Ｎを押圧し、それによって、押え部材５２の内面側の一対の凹曲面部５２ａと本体部５１の挿入部５１ａの外面５１ａａとでパイプ本体４０の一端４０ａを挟み込むことができる。
【００６３】
＜延長管の第２接続管側の組み立てについて＞
延長管の第２接続管部６０側の組み立てに際しては、図３と図１１に示すように、第２接続管部６０の本体部６１の挿入部６１ａの外面に接着剤を塗布する。
次に、パイプ本体４０の他端４０ｂに本体部６１の挿入部６１ａを挿入する。このとき、挿入部６１ａの位置決め凸部６１ａａをパイプ本体４０の切欠き部４４に嵌め込む。
なお、予め挿入部６１ａおよびパイプ本体４０にビス挿通用の小孔を形成し、挿入部６１ａをパイプ本体４０に挿入した後で、互いに重なった各小孔にビスを螺着させてもよい。
【００６４】
次に、本体部６１の端子保持部６１ｃ内に、一対の導電線８０の各クリップ形給電端子８３と、ロック機構部９０の線材９４に連結された第１スライド部材９２と揺動部材９１と付勢部材９５とを設置する。その後、端子保持部６１ｃをカバー部６２にて覆い、ネジ６３をボス部６１ｃａに螺着することにより、カバー部６２を本体部６１に固定する。これにより、カバー部６２の一端側の端部にてカバー部材７０（第１部材７１）の他端側の端部がパイプ本体４０側に押さえ込まれる。
【００６５】
＜電気掃除機の動作について＞
図１に示すように、掃除機本体１０の駆動装置１１の操作スイッチをＯＮにして電動送風機を駆動させることにより、床面上の塵埃が空気と共に吸込口体１００の吸込口１０１ａに吸い込まれ、吸込口体１００および延長管３０を介して駆動装置１１の吸引管部１１ａ内に流入する。吸引管部１１ａ内に流入した塵埃を含む空気は集塵容器１２ａ内に送られ、比較的大きな第１の塵埃は遠心分離されて集塵容器１２ａ内に溜まるか、内筒部のメッシュ部材にて捕捉される。また、第１の塵埃よりも小さい第２の塵埃を含む空気は内筒部内に侵入し、第２の塵埃はフィルター本体にて捕捉される。フィルター本体を通過した空気は、駆動装置１１の電動送風機収容部１１ｃ内を通って図示しない排気口から外部に排出される。
【００６６】
電気掃除機による掃除時において、バッテリ１３からの電力が、駆動装置１１と延長管３０とを電気的に接続する端子接続部および延長管３０と吸込口体１００とを電気的に接続する端子接続部を含む配線系を介して吸込口体１００内の駆動モータに供給され、それによって駆動モータが駆動して回転ブラシ１０１ｂを回転させる。
なお、前記のようにロック解除レバー９３ａを引いて延長管３０から吸込口体１００を取り外す、あるいはロック解除ボタン９１ｂを押して延長管３０から吸込口体１００を取り外し、延長管３０に他の吸込具としてのブラシノズル、口細ノズル等を接続してもよい。
【００６７】
（第２実施形態）
第１実施形態において、延長管３０の第２接続管部６０は、本体部６１の接続部６１ｂの外面に端子保持部６１ｃが設けられているが、この端子保持部６１ｃは第１接続管部５０の押え部材５２のように別部材として設けられてもよい。
すなわち、第２実施形態の延長管（不図示）は、第１実施形態における第１接続管部５０と同様に構成されてパイプ本体４０の一端４０ａに接続される第１接続管部を備えると共に、第１実施形態における第１接続管部５０と概ね同様に（押え部材を含んで）構成されてパイプ本体４０の他端４０ｂに接続される第２接続管部を備えるものであってもよい。なおこの場合、第１実施形態で設けられていたロック機構部９０の第１および第２スライド部材９２、９３およびこれらを連結する線材９４が省略される。
【００６８】
第２実施形態における第２接続管部の場合、第１実施形態の第２接続管部６０における本体部６１の接続部６１ｂの外面に設けられている第１スライド部材９２を設置するスペースを省略することができる。そのため、第２実施形態では、接続部の長さおよびカバー部の長さを短くすることができると共に、第２接続管部全体の軽量化を図ることができる。また第２実施形態の場合、第２接続管部には押え部材が備えられるため、この押え部材の外面に一対のクリップ形給電端子を保持するリブを設け、ロック機構部９０の揺動部材９１および付勢部材９５も押え部材のリブにて保持するように構成すればよい。また、カバー部にて押え部材をパイプ本体４０の外面に押し付けるようにすればよい。
第２実施形態の延長管によれば、第２接続部の短縮化およびロック機構部の部品点数の削減により、延長管のさらなる軽量化を図ることができる。
【００６９】
（第３実施形態）
第２実施形態の延長管における導電線８０およびカバー部材７０を省略してもよい。
第３実施形態の場合、第１接続管部において、ネジ５３にて直接押え部材５２をパイプ本体４０の外面に押し付けるようにすればよい。また、押え部材５２の外面は、位置決めリブ５２ｂを省略してパイプ本体４０の外面と滑らかに繋がる凸曲面とすればよい。
第３実施形態の延長管によれば、さらなる軽量化を図ることができると共に、モータ駆動方式の回転ブラシを備えていない吸込口体に適用可能である。
【００７０】
（まとめ）
本発明の電気掃除機の延長管は、ドライカーボン製の細長いパイプ本体と、前記パイプ本体の少なくとも一端に設けられた接続管部とを備え、
前記接続管部は、前記パイプ本体の前記一端に挿入される筒状の挿入部および前記パイプ本体の外部に突出して掃除機本体側または吸込具側と接続される筒状の接続部を有する本体部と、前記本体部に固定具にて取り付けられる湾曲板状の押え部材とを備え、
前記押え部材は、前記パイプ本体の前記一端の外面に当接可能な凹曲面部を有し、
前記パイプ本体の前記一端を、前記一端に挿入された前記接続管部の前記挿入部の外面と前記押え部材の前記凹曲面部とで挟み込み、かつ、この挟み込み状態を前記固定具にて維持するように構成したものである。
この構成によれば、パイプ本体の一端と接続管部の挿入部とを接着剤にて接着した場合、この接着剤による接着強度に加えて、パイプ本体の一端を接続管部の挿入部と押え部材とで挟み込んで保持することができるため、パイプ本体と接続管部とが互いに離れる引っ張り方向の外力に対して引張強度を高めることができる。
【００７１】
本発明の電気掃除機の延長管は、次のように構成されてもよく、それらが適宜組み合わされてもよい。
【００７２】
・前記接続部が、前記挿入部に連設されているものであってもよい。
この構成によれば、接続管部の全長を短くして軽量化することができる。そのため、ドライカーボンよりも比重の大きい樹脂にて接続管部を形成する場合は、接続管部の軽量化によって延長管全体の重量をさらに軽量化することができる。つまり、従来の延長管（特許文献１参照）では、接続管部の挿入部と接続部との間に端子保持部が設けられているため、接続管部の全長は端子保持部の長さ分長くなっているが、本発明における接続管部の全長は前記端子保持部の長さ分短くなっているため、長さを短縮した分の軽量化を実現することができる。
【００７３】
・前記パイプ本体は、前記接続管部を位置決めする切欠き部を前記一端の開口端縁に有し、
前記接続管部は、前記挿入部が前記パイプ本体の前記一端に挿入された状態において前記切欠き部と係合する位置決め凸部を前記挿入部の外面に有すると共に、前記固定具としてのネジを螺着させるボス部を前記位置決め凸部上に有しているものであってもよい。
この構成によれば、パイプ本体に対して接続管部の位置決め（回動止め）を行う位置決め凸部上に、押え部材を接続管部に取り付ける固定具としてのネジを螺着させるボス部を配置することができるため、接続管部の構造が簡素化できて好都合となる。
【００７４】
・前記押え部材は、前記ボス部を挿通させる取り付け孔を有し、
前記本体部は、前記取り付け孔に前記ボス部を挿通した前記押え部材の前記ボス部を軸とする回動を規制する回動規制リブを、前記挿入部と前記接続部との境界に有するものであってもよい。
この構成によれば、押え部材をボス部の位置に容易に位置決めすることができる。
【００７５】
・前記パイプ本体の外面の長手方向に沿って設けられるカバー部材と、前記パイプ本体と前記カバー部材との間に設けられた導電線とをさらに備え、
前記カバー部材の前記一端側の端部が前記固定具にて前記押え部材へ押し付けられるように構成されたものであってもよい。
この構成によれば、電動モータによって回転駆動する回転ブラシを備えた吸込口体と、掃除機本体とを接続し、掃除機本体から延長管の導電線を介して吸込口体の電動モータに電力を供給可能な延長管とすることができる。また、延長管の導電線をカバー部材によって覆うことができると共に、固定具によるカバー部材の固定と押え部材への押し付けの両方を１箇所で行うことができて好都合となる。
【００７６】
・前記導電線は、前記一端側および前記一端側とは反対の他端側にそれぞれ端子部を有し、
前記押え部材は、前記導電線の前記一端側の前記端子部を位置決めする位置決めリブを外面に有するものであってもよい。
この構成によれば、導電線の端子部を支持する支持部材として押え部材を利用することができて好都合となる。
【００７７】
・前記接続管部が、前記パイプ本体の長手方向の前記一端および前記一端とは反対側の他端の両方に設けられているものであってもよい。
この構成によれば、パイプ本体の一端に設けられる接続管部によって得られる前記作用効果と同様の作用効果を、パイプ本体の他端に設けられる接続管部によっても得ることができる。
【００７８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００７９】
１  電気掃除機
１０  掃除機本体
３０  延長管
４０  パイプ本体
４０ａ  パイプ本体の一端
４０ｂ  パイプ本体の他端
４３、４４  切欠き部
５０  第１接続管部
５１、６１  本体部
５１ａ、６１ａ  挿入部
５１ａａ  挿入部の外面
５１ｂ、６１ｂ  接続部
５１ｄ  回動規制リブ
５１ｅ、６１ａａ  位置決め凸部
５１ｆ、６１ｃａ  ボス部
５２  押え部材
５２ａ  凹曲面部（押え部材の内面）
５２ｂ  位置決めリブ
５２ｂａ  位置決め凹部
５２ｃ  取付け孔
５３、６３  ネジ（固定具）
６０  第２接続管部
７０  カバー部材
７１  第１部材
７２  第２部材（カバー部材の一端側の端部）
８０  導電線
８２  ピン形受電端子（端子部）
８３  クリップ形給電端子（端子部）
１００  吸込口体（吸込具）
【図１】
2020156843.tif 000003
【図２】
2020156843.tif 000004
【図３】
2020156843.tif 000005
【図４】
2020156843.tif 000006
【図５】
2020156843.tif 000007
【図６】
2020156843.tif 000008
【図７】
2020156843.tif 000009
【図８】
2020156843.tif 000010
【図９】
2020156843.tif 000011
【図１０】
2020156843.tif 000012
【図１１】
2020156843.tif 000013
【図１２】
2020156843.tif 000014